(57)【要約】【課題】アースアンカー工法で山留壁を構築する際に山留壁の上に強度の高い境界壁を容易に構築できる境界壁構造物を提供する。【解決手段】境界壁構造物１は、アースアンカー工法による山留壁３の上に立設される境界壁４を備える。境界壁４は、山留壁３の各親杭５の突出部５ａ及びその間に配置される鉄筋コンクリート１０で形成される第１壁部８と、この外側に一体で形成される第２壁部９とで構成される。第２壁部９は、第１壁部８と一体を成す一体部１２と、第１壁部８の上端よりも上方に延びた延長部１３とを備える。【選択図】図１
2015025271.tif 000002
【特許請求の範囲】
【請求項１】
アースアンカー工法による山留壁の上に立設される境界壁を備える境界壁構造物であって、
前記山留壁は、地面より上方に突出した突出部を有する複数の親杭を備え、
前記境界壁は、
各隣り合う親杭の突出部の間に配置された鉄筋コンクリートと該突出部とで形成される第１壁部と、
前記第１壁部の鉄筋コンクリートと一体の鉄筋コンクリートで該第１壁部の外側に形成される第２壁部とで構成され、
前記第２壁部は、前記第１壁部に沿って該第１壁部と一体を成す一体部と、該第１壁部の上端よりも上方に延びた延長部とを備えることを特徴とする境界壁構造物。
【請求項２】
前記第１壁部は、地面から所定の深さまでの範囲に存在する下端部を有し、
前記下端部は、前記複数の親杭における該下端部の存在範囲に対応する部分と、隣り合う該対応部分の間に前記突出部の間の鉄筋コンクリートと一体のものとして配置された鉄筋コンクリートとで形成され、
前記第２壁部は、地面から所定の深さまでの範囲に存在し、かつ該第２壁部の前記一体部における外側の壁面よりも水平方向外方に張り出した水平基部を有し、
前記水平基部は、前記下端部の鉄筋コンクリート及び前記一体部の鉄筋コンクリートと一体の鉄筋コンクリートで形成されることを特徴とする請求項１に記載の境界壁構造物。
【請求項３】
前記第１壁部及び前記第２壁部を構成する鉄筋コンクリートは、該第１壁部の内側の壁面に沿って延び、該第１壁部の上端部で折り曲げられ、さらに該第２壁部の延長部の外側の壁面に沿って延びた複数の縦筋を備え、
前記第１壁部の鉄筋コンクリートは、各隣り合う前記親杭の上端の間に渡された第１横筋と、該第１横筋の上方において延在する第２横筋とを備え、
前記第２壁部の鉄筋コンクリートは、前記第１横筋と同じ高さに配置された第３横筋と、前記第２横筋と同じ高さに配置された第４横筋とを備え、
前記第１〜第４横筋は、複数のスターラップにより結合されていることを特徴とする請求項１又は２に記載の境界壁構造物。
【請求項４】
前記山留壁と、
前記山留壁から基端部が突出したテンドン及び該基端部に固定されるアンカーヘッドを有するアースアンカーと、
前記アンカーヘッドを、前記テンドンに付与される緊張力に抗して、前記山留壁に対して支持するアンカー台座と、
前記山留壁側が開放された容器状の形態を有し、前記アンカーヘッド及び前記アンカー台座を含む空間を覆うアンカーカバーと、
前記山留壁及び前記境界壁の内側の壁面を、前記アンカーカバーを含めて一体的に被覆する防水被覆層とを備え、
前記防水被覆層は、
前記山留壁及び前記境界壁をその壁面に沿って覆う壁面被覆部と、
前記アンカーカバーをその外面に沿って覆うカバー被覆部とを一体として有することを特徴とする請求項１〜３のいずれか１項に記載の境界壁構造物。
【発明の詳細な説明】
【技術分野】
【０００１】
本発明は、アースアンカー工法による山留壁の上に立設される境界壁を備える境界壁構造物に関する。
【背景技術】
【０００２】
アースアンカー工法で地盤に山留壁を構築する際には、まず、山留壁で区分される地盤の境界線に沿って複数の親杭が打ち込まれる。次に、境界線の内側を掘り下げながら、隣り合う親杭の間に横矢板が渡され、その外側の土砂が支持される。次に、所定の深さまで掘り下げた時点で、横矢板の内側からアースアンカーが地盤に設けられる。そして、各親杭により、それらの間に渡された腹起しを介してアンカーヘッドが支持される（例えば、特許文献１参照）。
【０００３】
この地盤の掘り下げからアンカーヘッドの支持までの手順を、必要な掘り下げ深さに達するまで繰り返すことにより、親杭と横矢板を有する山留壁が構築される。このようなアースアンカー工法による山留壁は、廃棄物の最終処分場において、廃棄物を埋め立てて処分するための窪地である処分区画の造成に利用することも考えられている。
【先行技術文献】
【特許文献】
【０００４】
【特許文献１】特開２００７−１７７５１７号公報
【発明の概要】
【発明が解決しようとする課題】
【０００５】
しかしながら、廃棄物の最終処分場では、処分区画を画定する山留壁の周囲には、外部からの処分区画内への侵入等を防止するための境界壁を構築する必要がある。かかる境界壁は、処分区画が廃棄物により埋め立てられるとき、その内側も廃棄物で埋め立てられる場合がある。また、境界壁の内側が、盛り土され、道路として利用される場合もある。かかる場合には、境界壁は、強固な擁壁としての役割を果たす必要がある。
【０００６】
かかる強固な境界壁の構築には、従来のＬ字型擁壁を用いることも考えられる。しかしながら、Ｌ字型擁壁によれば、境界の内側が廃棄物や盛り土で地面レベルまで埋め立てられた後でなければ、Ｌ字擁壁を処分区画の境界上に設置し、又は設置状態を安全に維持することが困難である。あるいは、かかる不都合を回避するためには、境界から外方へある程度離してＬ字型擁壁を設置する必要がある。
【０００７】
本発明の目的は、かかる従来技術の課題に鑑み、アースアンカー工法で山留壁を構築する際に山留壁の上に強度の高い境界壁を容易に構築できる境界壁構造物を提供することにある。
【課題を解決するための手段】
【０００８】
本発明の境界壁構造物は、アースアンカー工法による山留壁の上に立設される境界壁を備える境界壁構造物であって、前記山留壁は、地面より上方に突出した突出部を有する複数の親杭を備え、前記境界壁は、各隣り合う親杭の突出部の間に配置された鉄筋コンクリートと該突出部とで形成される第１壁部と、前記第１壁部の鉄筋コンクリートと一体の鉄筋コンクリートで該第１壁部の外側に形成される第２壁部とで構成され、前記第２壁部は、前記第１壁部に沿って該第１壁部と一体を成す一体部と、該第１壁部の上端よりも上方に延びた延長部とを備えることを特徴とする。
【０００９】
本発明において、第１壁部を形成する山留壁の親杭は、アースアンカーにより地盤に対して強固に定着されており、高い強度を有する。したがって、親杭の間に鉄筋コンクリートを配置して形成される第１壁部、及び該鉄筋コンクリートと一体の鉄筋コンクリートで構成される第２壁部も高い強度を有する。
【００１０】
このため、第１壁部及び第２壁部で形成される境界壁は、山留壁の親杭を介して地盤に高い強度で定着する。したがって、境界壁を強固に地盤に定着させるための強固な基礎部を別途設ける必要はない。
【００１１】
また、境界壁は、親杭の突出部を利用して構築されるので、親杭を打ち込んだ後であれば、山留壁の構築と並行して構築することができる。したがって、本発明によれば、アースアンカー工法で山留壁を構築する際に、山留壁の上に強度の高い境界壁を容易に構築することができる。
【００１２】
本発明において、前記第１壁部は、地面から所定の深さまでの範囲に存在する下端部を有し、前記下端部は、前記複数の親杭における該下端部の存在範囲に対応する部分と、隣り合う該対応部分の間に前記突出部の間の鉄筋コンクリートと一体のものとして配置された鉄筋コンクリートとで形成され、前記第２壁部は、地面から所定の深さまでの範囲に存在し、かつ該第２壁部の前記一体部における外側の壁面よりも水平方向外方に張り出した水平基部を有し、前記水平基部は、前記下端部の鉄筋コンクリート及び前記一体部の鉄筋コンクリートと一体の鉄筋コンクリートで形成されてもよい。
【００１３】
これによれば、山留壁の上に強度の高い境界壁を容易に構築しながら、第１壁部の下端部及び第２壁部の水平基部により、境界壁をより強固なものとすることができる。また、雨水等が境界壁の内側に浸入するのを、該基端部及び水平基部により、ある程度防止することもできる。
【００１４】
また、本発明において、前記第１壁部及び前記第２壁部を構成する鉄筋コンクリートは、該第１壁部の内側の壁面に沿って延び、該第１壁部の上端部で折り曲げられ、さらに該第２壁部の延長部の外側の壁面に沿って延びた複数の縦筋を備え、前記第１壁部の鉄筋コンクリートは、各隣り合う前記親杭の上端の間に渡された第１横筋と、該第１横筋の上方において延在する第２横筋とを備え、前記第２壁部の鉄筋コンクリートは、前記第１横筋と同じ高さに配置された第３横筋と、前記第２横筋と同じ高さに配置された第４横筋とを備え、前記第１〜第４横筋は、複数のスターラップにより結合されていてもよい。
【００１５】
これによれば、上記の縦筋、第１〜第４横筋及びスターラップにより、第１壁部を構成する鉄筋コンクリートと、第２壁部を構成する鉄筋コンクリートとが強固に一体化される。これにより、山留壁の上に強度の高い境界壁を容易に構築しながら、境界壁をさらに強固なものとすることができる。
【００１６】
さらに、本発明において、前記山留壁と、前記山留壁から基端部が突出したテンドン及び該基端部に固定されるアンカーヘッドを有するアースアンカーと、前記アンカーヘッドを、前記テンドンに付与される緊張力に抗して、前記山留壁に対して支持するアンカー台座と、前記山留壁側が開放された容器状の形態を有し、前記アンカーヘッド及び前記アンカー台座を含む空間を覆うアンカーカバーと、前記山留壁及び前記境界壁の内側の壁面を、前記アンカーカバーを含めて一体的に被覆する防水被覆層とを備え、前記防水被覆層は、前記山留壁及び前記境界壁をその壁面に沿って覆う壁面被覆部と、前記アンカーカバーをその外面に沿って覆うカバー被覆部とを一体として有してもよい。
【００１７】
これによれば、山留壁の上に強度の高い境界壁を容易に構築しつつ、防水被覆層によって、山留壁及び境界壁の全体にわたり、周囲の地盤に対する防水を図ることができる。
【００１８】
その際、アンカーヘッド及びアンカー台座がアンカーカバーで覆われ、アンカーカバーの外面に沿ってカバー被覆部により覆われるので、山留壁の内側が廃棄物で埋め立てられて廃棄物からの圧力が防水被覆層に付与される場合でも、防水被覆層に破断を生じさせることなく、防水被覆層による防水機能を維持することができる。
【図面の簡単な説明】
【００１９】
【図１】本発明の一実施形態に係る境界壁構造物の親杭位置における断面図である。
【図２】図１の境界壁構造物の親杭間における断面図である。
【図３】（ａ）は、図１の境界壁構造物が備える山留壁部分の構成を示す正面図であり、（ｂ）は、（ａ）のＢ−Ｂ線断面図である。
【図４】図３の山留壁部分におけるアンカーカバーの斜視図である。
【図５】図３の山留壁部分の防水被覆層を山留壁の内側から見た様子を示す斜視図である。
【発明を実施するための形態】
【００２０】
以下、図面を用いて本発明の実施形態を説明する。図１に示すように、実施形態の境界壁構造物１は、アースアンカー工法で地盤２に形成される山留壁３と、山留壁３の上に立設される境界壁４とを備える。山留壁３は、廃棄物の最終処分場において、廃棄物を埋め立てて処分するための処分区画を周囲の地盤２から区画する垂直側壁を構成する。
【００２１】
山留壁３は、地盤２に対して、水平方向に一定の間隔を置いて鉛直方向に打ち込まれた複数の親杭５と、隣り合う親杭５の間に水平方向に渡されて地盤２を支持する複数の横矢板６とを備える。各親杭５は、地面ＧＬより上方に、例えば１［ｍ］程度突出した突出部５ａを有する。親杭５としては、Ｈ型鋼が用いられる。横矢板６は、親杭５の内側と地盤２の土砂等との間に挿入される。
【００２２】
境界壁４は、親杭５の突出部５ａを利用して構築される。図１では、境界壁４の親杭５の位置における配筋状況が併せて示されている。図２では、境界壁４の隣り合う親杭５の間における配筋状況が併せて示されている。
【００２３】
境界壁４は、親杭５を用いて形成される第１壁部８と、第１壁部８の外側において第１壁部８と一体に形成される第２壁部９とで構成される。第１壁部８は、複数の親杭５の突出部５ａと、隣り合う突出部５ａの間に配置される鉄筋コンクリート１０とで形成される。第１壁部８は、親杭５の上端５ｂよりも例えば０．６［ｍ］程度高い。
【００２４】
また、第１壁部８は、地面ＧＬから、例えば０．４５［ｍ］程度の深さまでの範囲に存在する下端部１１を有する。下端部１１は、その存在範囲に対応する親杭５の部分と、隣り合う該部分の間に配置される鉄筋コンクリート１０とで形成される。この鉄筋コンクリート１０は、親杭５の突出部５ａの間の鉄筋コンクリート１０と一体を成す。
【００２５】
第２壁部９は、第１壁部８の鉄筋コンクリート１０と一体の鉄筋コンクリート１０により第１壁部８の外側に形成される。また、第２壁部９は、第１壁部８に沿って第１壁部８と一体を成す一体部１２と、第１壁部８の上端のレベルから上方に例えば２［ｍ］程度延びた部分である延長部１３とを備える。
【００２６】
また、第２壁部９は、地面ＧＬから、第１壁部８の下端部１１と同じ深さまでの範囲に存在し、かつ第２壁部９の一体部１２における外側の壁面よりも水平方向外方に、例えば０．９［ｍ］程度張り出した水平基部１４を有する。したがって、第２壁部９は、断面がＬ字状を呈する。水平基部１４は、下端部１１の鉄筋コンクリート１０及び一体部１２の鉄筋コンクリート１０と一体の鉄筋コンクリート１０で形成される。
【００２７】
隣り合う親杭５の上端面の間に、２本の横筋１５が渡される。また、２本の横筋１５の０．２［ｍ］程度上方において２本の横筋１６が設けられる。２本の横筋１５及び２本の横筋１６は、これらの断面が四角形の四隅を構成するように、∩字状に曲げられた曲げ鉄筋１７によって親杭５に固定される。
【００２８】
また、横筋１５及び１６と同じ高さにおける第２壁部９の外側壁面の近傍には、それぞれ横筋１８及び１９が配置される。これらの横筋１５及び１６と、横筋１８及び１９は、隣り合う親杭５の間において、例えば２５０［ｍｍ］間隔で設けられたスターラップ２０により連結される。
【００２９】
また、同様に、第１壁部８の下端部１１に対応する親杭５の部分には、該部分に固定された上下２段のジベル筋２１を介して、複数の横筋２２が渡される。また、第２壁部９の水平基部１４には、複数の横筋２３が、それらの断面が四角形を形成するように配置される。
【００３０】
複数の横筋２３は、例えば２５０［ｍｍ］間隔で配置されたスターラップ２４により結合される。また、複数の横筋２２と複数の横筋２３は、例えば２５０［ｍｍ］間隔で配置された補強スターラップ２５により結合される。
【００３１】
また、隣り合う親杭５の間における第１壁部８の内側壁面の近傍には、適宜の間隔で横筋２６及び縦筋２７が配置される。縦筋２７は、第１壁部８の上端部で折り曲げられ、第２壁部９の延長部１３の外側壁面に沿って上方に延びている。
【００３２】
第２壁部９の第１壁部８側には、適宜の間隔で横筋２８及び縦筋２９が配置される。縦筋２９は、例えば１５０［ｍｍ］間隔で配置され、第１壁部８の中間の高さから第２壁部９の上端部にわたって延在する。第２壁部９の外側壁面側には適宜の間隔で横筋３０及び縦筋３１が配置される。
【００３３】
縦筋３１は、例えば３００［ｍｍ］間隔で配置され、第２壁部９の上端部から水平基部１４の底部近傍にわたって延在し、その水平基部１４側の端部は、第２壁部９の外方に向けて折り曲げられる。縦筋３１の上端は、対応する縦筋２９の上端と、∩字状の曲げ鉄筋３２によって連結される。
【００３４】
第２壁部９の外側壁面には、化粧型枠３３が、上端から水平基部１４に至るまで、４５［ｍｍ］程度の厚さで増し打ちされる。
【００３５】
図３（ａ）は、境界壁構造物１の山留壁３部分の構造を示す正面図である。図３（ｂ）は、図３（ａ）のＢ−Ｂ線断面図である。なお、図３（ａ）では、後述する防水被覆層４４の図示が省略されている。
【００３６】
図３に示すように、境界壁構造物１は、山留壁３を地盤２に定着させるためのアースアンカー３４を備える。アースアンカー３４は、山留壁３の高さに応じて複数段が設置される。１つの段には、山留壁３の水平方向の長さに応じた数のアースアンカー３４が含まれる。
【００３７】
各アースアンカー３４は、基端部が山留壁３から突出したテンドン３５及び当該基端部に固定されるアンカーヘッド３６を備える。テンドン３５は、棒状のＰＣ鋼や、ＰＣ鋼より線等で構成される。
【００３８】
また、境界壁構造物１は、各アンカーヘッド３６の上側及び下側においてそれぞれ山留壁３を支持する腹起し３７ａ及び３７ｂと、腹起し３７ａ及び３７ｂ上でアンカーヘッド３６を支持するアンカー台座３８とを備える。アンカー台座３８は、アースアンカー３４のテンドン３５に付与された緊張力に抗して、アンカーヘッド３６を支持する。
【００３９】
腹起し３７ａ及び３７ｂは、水平方向に対して平行に配置される。腹起し３７ａ及び３７ｂは、アースアンカー３４の水平方向の数に応じて、適宜、水平方向に接続され、延長される。また、腹起し３７ａ及び３７ｂとしては、例えばＨ型鋼が用いられる。腹起し３７ａ及び３７ｂは、それぞれ、親杭５に溶接等で設けられた上側及び下側のブラケット３９ａ及び３９ｂにより支持される。
【００４０】
アンカー台座３８は、対応する上下の腹起し３７ａ及び３７ｂに跨がり、上下の腹起し３７ａ及び３７ｂ上でアンカーヘッド３６を支持する。これにより、アースアンカー３４に付与されている緊張力が、アンカー台座３８及び腹起し３７ａ及び３７ｂを介して山留壁３を押圧し、山留壁３を地盤２に確実に定着させる。
【００４１】
アンカー台座３８は、ほぼ五角形状の２枚の鋼板４０を相互に平行にかつ腹起し３７ａ及び３７ｂと直交するように配置し、かつ２枚の鋼板４０間を複数の板材で連結して構成される。五角形状の１辺は、対応する上下の腹起し３７ａ及び３７ｂに跨る長さを有し、その両端の２辺が水平方向に沿って延び、その２辺の端縁を他の２辺が直列的に接続する。当該他の２辺のうちの上側の辺は、アースアンカー３４とほぼ直交する。
【００４２】
２枚の鋼板４０を連結する複数の板材のうちの１枚が、アンカーヘッド３６を支持するアンカープレート４１を構成する。アンカープレート４１は、２枚の鋼板４０のアースアンカー３４とほぼ直交する辺を相互に連結する。これにより、アンカープレート４１は、アースアンカー３４にほぼ直交し、アンカーヘッド３６を適切に支持することができる。
【００４３】
また、２枚の鋼板４０を連結する板材のうちの別の一枚は、下側の腹起し３７ｂに対して鉛直方向に接してアンカー台座３８の鉛直方向の位置を決める凸部４２を構成する。凸部４２は、２枚の鋼板４０における腹起し３７ａ及び３７ｂに跨る長さを有する辺を相互に連結する。
【００４４】
また、境界壁構造物１は、アンカーヘッド３６及びアンカー台座３８を含む空間を覆うアンカーカバー４３と、山留壁３の壁面を、アンカーカバー４３の外面を含めて一体的に被覆する防水被覆層４４とを備える。
【００４５】
図４は、アンカーカバー４３の斜視図である。図４に示すように、アンカーカバー４３は、山留壁３側が開放された容器状の形態のものであり、ほぼ直方体の形状を有する。その開放された山留壁３側の面の水平方向両側に隣接する各側壁には、腹起し３７ａ及び３７ｂと交差する部分において腹起し３７ａ及び３７ｂとの干渉を回避する切欠き部４５が設けられる。
【００４６】
図３（ｂ）において拡大して示すように、防水被覆層４４は、山留壁３側から、保護シート４６ａ、遮水シート４７ａ、保護シート４６ｂ、遮水シート４７ｂ及びウレタン層４８を、この順で重ねて構成される。
【００４７】
図５は、防水被覆層４４を山留壁３の内側（地盤２と反対側）から見た様子を示す。図５に示すように、防水被覆層４４は、山留壁３（図３参照）をその壁面に沿って覆う平坦な壁面被覆部４９と、アンカーカバー４３をその外面に沿って覆う凸状のカバー被覆部５０と、腹起し３７ａ及び３７ｂをその形状に沿って覆う腹起し被覆部５１とを有する。
【００４８】
腹起し被覆部５１は、腹起し３７ａ及び３７ｂにおけるアンカーカバー４３で覆われていない部分を覆う。壁面被覆部４９、カバー被覆部５０及び腹起し被覆部５１は、隙間なく連続している。壁面被覆部４９は、図１及び図２では図示していないが、境界壁４の上端にまで及んでおり、境界壁４の内壁面をも覆う。
【００４９】
カバー被覆部５０は、アンカーカバー４３の外面に沿った直方体形状を有する。腹起し被覆部５１は、腹起し３７ａ及び３７ｂの形状に従い、横断面が矩形状である凸条の形態を有する。
【００５０】
境界壁構造物１を適用して廃棄物を埋め立てるための凹状の処分区画を構築するに際しては、まず、処分区画の境界部分の地盤２に対し、アースアンカー工法により山留壁３を形成する。
【００５１】
すなわち、処分区画の境界に沿って、所定の間隔を置いて、かつ突出部５ａが形成されるように打込み量を調整しながら、親杭５を打ち込む。そして、境界の内側を掘り下げながら、各隣り合う親杭５の間に横矢板６を設置してゆく。これと並行して、打ち込んだ親杭５を利用し、図１及び図２に示すような配筋を行い、型枠を設け、型枠内にコンクリートを流し込むことにより、境界壁４を構築することができる。
【００５２】
掘り下げた深さが所定値に達したら、各隣り合う親杭５の中間位置において、地盤２に対し、３０°程度下向きに穿孔を行う。そして、形成した孔にテンドン３５を先端側から挿入し、さらにセメントミルクを圧入して固化させる。これにより、アースアンカー３４のアンカーヘッド３６以外の部分が形成される。
【００５３】
次に、ブラケット３９ａ及び３９ｂを各親杭５に溶接して固定し、各ブラケット３９ａ及び３９ｂに腹起し３７ａ及び３７ｂをそれぞれ支持させる。さらに、各腹起し３７ａ及び３７ｂ上にアンカー台座３８を配置し、そのアンカープレート４１の孔から対応するテンドン３５の基端部を突出させ、そのテンドン３５にアンカーヘッド３６を取り付ける。
【００５４】
そして、テンドン３５に緊張ジャッキで緊張力を付与し、テンドン３５の基端部をアンカーヘッド３６に定着させる。これにより、山留壁３が、テンドン３５の緊張力により、アンカーヘッド３６、アンカー台座３８、並びに腹起し３７ａ及び３７ｂを介し、地盤２に対して確実に固定される。
【００５５】
これにより、アンカーヘッド３６の１段分に対応する山留壁３の形成が完了する。さらに、必要とする処分区画の深さに応じ、同様の手順で、必要な段数のアンカーヘッド３６を設けながら、山留壁３を形成してゆく。山留壁３が必要な高さに達したら、山留壁３の形成が完了する。
【００５６】
次に、処分区画の周囲に形成された山留壁３から突出している各アンカーヘッド３６及びアンカー台座３８の部分にアンカーカバー４３を被せる。さらに、山留壁３及び境界壁４の壁面を、各アンカーカバー４３及び各腹起し３７ａ及び３７ｂを含めて一体的に防水被覆層４４で被覆する。
【００５７】
このとき、アンカーカバー４３は、その外面に沿って、防水被覆層４４のカバー被覆部５０で覆われる。腹起し３７ａ及び３７ｂは、その形状に沿って、防水被覆層４４の腹起し被覆部５１で覆われる。アンカーカバー４３並びに腹起し３７ａ及び３７ｂが存在する箇所以外の山留壁３の部分、並び境界壁４は、防水被覆層４４の壁面被覆部４９で覆われる。
【００５８】
これにより、境界壁構造物１の構築が完了する。構築された境界壁構造物１の内側は、廃棄物で埋め立てられることになる。
【００５９】
本実施形態によれば、次のような効果が得られる。すなわち、第１壁部８を形成する山留壁３の親杭５は、アースアンカー３４により地盤２に対して強固に定着されており、高い強度を有する。したがって、親杭５の間に鉄筋コンクリート１０を配置して形成される第１壁部８、及び該鉄筋コンクリート１０と一体の鉄筋コンクリート１０で構成される第２壁部９も高い強度を有する。
【００６０】
このため、第１壁部８及び第２壁部９で形成される境界壁４は、地盤２に対して高い強度で定着する。また、境界壁４は、親杭５の突出部５ａを利用して構築されるので、親杭５を打ち込んだ後であれば、山留壁３の構築と並行して構築することができる。
【００６１】
また、第１壁部８及び第２壁部９に、地面ＧＬよりも下の部分としての下端部１１及び水平基部１４が一体として設けられるので、境界壁４をより強固なものとすることができる。また、下端部１１及び水平基部１４により、雨水等が境界壁構造物１の内側に浸入するのをある程度防止することができる。
【００６２】
したがって、廃棄物の処分区画造成の初期段階で周囲から囲うために必要な壁としての境界壁４を、その後の廃棄物の埋立てや道路の構築においても半永久的に使用できる強固な擁壁として容易に構築することができる。これにより、廃棄物処分のコスト削減を図ることができる。
【００６３】
また、境界壁構造物１では、アースアンカー工法で構築された山留壁３から突出するアンカーヘッド３６やアンカー台座３８がアンカーカバー４３で覆われ、その外側が、山留壁３及び境界壁４とともに一体的に防水被覆層４４で被覆される。
【００６４】
このため、処分区画の内側に廃棄物が埋め立てられて廃棄物からの圧力が防水被覆層４４に付与されても、アンカーヘッド３６やアンカー台座３８の突出部に起因して防水被覆層４４の一部に破断を生じさせるほどの圧力の集中が生じることはない。したがって、アースアンカー工法による山留壁３としての処分区画の内壁の構築と、防水被覆層４４による当該内壁の防水とを支障なく両立させることができる。
【００６５】
また、防水被覆層４４は、腹起し３７ａ及び３７ｂをその形状に沿って覆う腹起し被覆部５１を有し、アンカーカバー４３は、腹起し３７ａ及び３７ｂとの交差部分において腹起し３７ａ及び３７ｂとの干渉を回避する切欠き部４５を有する。これにより、アンカーカバー４３は、腹起し３７ａ及び３７ｂと交差するにも拘らず、アンカーヘッド３６及びアンカー台座３８の部分を、山留壁３の壁面に接する裾の部分に至るまで十分に覆うことができる。
【００６６】
これにより、防水被覆層４４を、山留壁３、アンカーカバー４３並びに腹起し３７ａ及び３７ｂで極力隙間なく支持することができる。これにより、防水被覆層４４に付与される廃棄物からの圧力を、支障なく支持することができる。したがって、腹起し３７ａ及び３７ｂを有する場合でも、支障なく、アースアンカー工法による山留壁３の構築と、防水被覆層４４による山留壁３の防水とを両立させることができる。
【００６７】
また、防水被覆層４４は、保護シート４６ａ、４６ｂ、遮水シート４７ａ、４７ｂ及び最も外側のウレタン層４８を備えるので、廃棄物からの圧力を、保護シート４６ａ、４６ｂ及びウレタン層４８により効果的に分散させることができる。これにより、遮水シート４７ａ、４７ｂの破断を防止し、防水被覆層４４の機能を良好に維持することができる。
【００６８】
なお、本発明は上述の実施形態に限定されない。例えば、アンカーカバー４３は、直方体形状のもの限らず、半球状や円柱状、７面体以上の多面体形状のものであってもよい。また、境界壁構造物１は、腹起し３７ａ及び３７ｂを介することなく、山留壁３上で直接アンカー台座３８がアンカーヘッド３６を支持するものであってもよい。また、境界壁４は、下端部１１及び水平基部１４を有していなくてもよい。
【符号の説明】
【００６９】
１…境界壁構造物、２…地盤、３…山留壁、４…境界壁、５ａ…突出部、８…第１壁部、９…第２壁部、１０…鉄筋コンクリート、１１…下端部、１２…一体部、１３…延長部、１４…水平基部、１５…横筋（第１横筋）、１６…横筋（第２横筋）、１８…横筋（第３横筋）、１９…横筋（第４横筋）、２２、２３、２６、２８、３０…横筋、２７、２９、３１…縦筋、２０、２４、２５…スターラップ、３４…アースアンカー、３５…テンドン、３６…アンカーヘッド、３８…アンカー台座、４３…アンカーカバー、４４…防水被覆層、４９…壁面被覆部、５０…カバー被覆部、ＧＬ…地面。
【図１】
2015025271.tif 000003
【図２】
2015025271.tif 000004
【図３】
2015025271.tif 000005
【図４】
2015025271.tif 000006
【図５】
2015025271.tif 000007